(57)【特許請求の範囲】
【請求項１】
少なくとも直鎖状飽和炭化水素及び環状飽和炭化水素を含有する炭素数範囲が９〜３０である飽和炭化水素組成物についてガスクロマトグラフィー分析を行い、ガスクロマトグラムを得る第１のステップと、
前記ガスクロマトグラムにおいて、前記直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から１又は２以上の極小点を選定し、下記式（１）に基づいて、前記飽和炭化水素組成物に占める前記環状飽和炭化水素の含有割合を算出する第２のステップと、
を備える炭化水素組成物の組成分析方法。
ＣＮ＝ＳＮ／ＳＡ×１００  （１）
［式中、ＣＮは前記飽和炭化水素組成物に占める前記環状飽和炭化水素の含有割合（単位：質量％）を示し、ＳＡは前記ガスクロマトグラムにおける全ピーク面積を示し、ＳＮは第２のステップにおいて選定した極小点の全てを結んだ線分と前記ガスクロマトグラムのベースラインとによって形成される閉じた領域の面積を示す。］
【請求項２】
前記第２のステップにおいて選定する極小点は、炭素数ｎの直鎖状飽和炭化水素に帰属されるピークと炭素数ｎ−１の直鎖状炭化水素に帰属されるピークとの間の領域に存在する複数の極小点のうち、当該領域において最小値を与える極小点及び２番目に小さい値を与える極小点を含む２以上の極小点である、請求項１に記載の方法。
【請求項３】
前記第２のステップにおいて選定する極小点は、炭素数ｎの直鎖状飽和炭化水素に帰属されるピークと炭素数ｎ−１の直鎖状炭化水素に帰属されるピークとの間の領域に存在する複数の極小点のうち、当該領域において最小値を与える極小点及び２番目に小さい値を与える極小点である、請求項１又は２に記載の方法。
【請求項４】
前記クロマトグラムにおいて、前記直鎖状飽和炭化水素の炭素数ごとに、直鎖状飽和炭化水素に帰属されるピークの両側の最も近い位置に存在する２つの極小点を選定し、下記式（２）に基づいて、前記飽和炭化水素組成物に占める前記直鎖状飽和炭化水素の含有割合を算出する第３のステップを更に備える、請求項１〜３のいずれか一項に記載の方法。
ＣＬ＝ＳＬ／ＳＡ×１００  （２）
［式中、ＣＬは前記飽和炭化水素組成物に占める前記直鎖状飽和炭化水素の含有割合（単位：質量％）を示し、ＳＡは前記ガスクロマトグラムにおける全ピーク面積を示し、ＳＬは、前記第３のステップにおいて選定した２つの極小点を結んだ線分と炭素数ｎの直鎖状飽和炭化水素に帰属されるピーク曲線とによって形成される閉じた領域の面積を、前記直鎖状飽和炭化水素の全炭素数について合計した値を示す。］
【請求項５】
下記式（３）に基づいて、前記炭化水素飽和生成物に占める分岐鎖状飽和炭化水素の含有割合を算出する第４のステップを更に備える、請求項１〜４のいずれか一項に記載の方法。
ＣＢ＝１００−（ＣＮ＋ＣＬ）    （３）
［式中、ＣＢは前記飽和炭化水素組成物に占める前記分岐鎖状飽和炭化水素の含有割合（単位：質量％）を示し、ＣＮは前記飽和炭化水素組成物に占める前記環状飽和炭化水素の含有割合（単位：質量％）を示し、ＣＬは前記飽和炭化水素組成物に占める前記直鎖状飽和炭化水素の含有割合（単位：質量％）を示す。］
【発明の詳細な説明】
【技術分野】
【０００１】
本発明は、炭化水素組成物の組成分析方法に関する。
【背景技術】
【０００２】
従来、ガソリン、灯油、軽油等の燃料油、潤滑油などの石油製品の基材として、鉱油系基材が広く用いられている。鉱油系基材は、原油を蒸留し、さらに必要に応じて水素化処理等の精製処理を施すことによって得られる炭化水素組成物であり、通常、飽和分、オレフィン分、芳香族分等の混合物である。さらに、飽和分は、直鎖状飽和炭化水素、分岐鎖状飽和炭化水素及び環状飽和炭化水素に更に分類できる。炭化水素組成物における上記の含有成分の含有割合は、鉱油系基材の各種用途における特性を決定する重要な因子である。
【０００３】
ガソリンより重質な炭化水素組成物中の飽和分の組成分析方法としては、シリカゲルクロマトグラフィー等により炭化水素組成物から分取した飽和分について、ガスクロマトグラフィー分析を行うことにより直鎖状飽和炭化水素を、質量分析を行うことにより環状飽和炭化水素を、それぞれ定量し、それらの結果から分岐鎖状飽和炭化水素の含有割合を算出する手法が当業者の間では一般的である。また、環状飽和炭化水素の定量法としては、質量分析法により求める方法が知られているが（例えば、非特許文献１を参照。）、直鎖状飽和炭化水素、環状飽和炭化水素及び分岐鎖状飽和炭化水素を同一の分析手段で定量する方法は知られていない。
【先行技術文献】
【非特許文献】
【０００４】
【非特許文献１】ＡＳＴＭ  Ｄ  ４２５  “Ｓｔａｎｄａｒｄ  Ｔｅｓｔ  Ｍｅｔｈｏｄ  ｆｏｒ  Ｈｙｄｒｏｃａｒｂｏｎ  Ｔｙｐｅｓ  ｉｎ  Ｍｉｄｄle  Dｉｓｔｉｌｌａｔｅｓ  ｂｙ  Ｍａｓｓ  Ｓｐｅｃｔｒｏｍｅｔｒｙ”
【発明の概要】
【発明が解決しようとする課題】
【０００５】
本発明は、炭化水素組成物に含まれる環状飽和炭化水素を簡便にかつ精度よく定量することが可能な、新規な炭化水素組成物の組成分析方法を提供することを目的とする。
【課題を解決するための手段】
【０００６】
本発明は、少なくとも直鎖状飽和炭化水素及び環状飽和炭化水素を含有する炭素数範囲が９〜３０である飽和炭化水素組成物についてガスクロマトグラフィー分析を行い、ガスクロマトグラムを得る第１のステップと、
第１のステップで得られたガスクロマトグラムにおいて、直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から１又は２以上の極小点を選定し、下記式（１）に基づいて、飽和炭化水素組成物に占める環状飽和炭化水素の含有割合を算出する第２のステップと、
を備える炭化水素組成物の組成分析方法を提供する。
ＣＮ＝ＳＮ／ＳＡ×１００  （１）
［式中、ＣＮは飽和炭化水素組成物に占める環状飽和炭化水素の含有割合（単位：質量％）を示し、ＳＡはガスクロマトグラムにおける全ピーク面積を示し、ＳＮは第２のステップにおいて選定した極小点の全てを結んだ線分とガスクロマトグラムのベースラインとによって形成される閉じた領域の面積を示す。］
【０００７】
また、炭化水素組成物に含まれる環状飽和炭化水素を一層精度よく定量できることから、上記の第２のステップにおいて選定する極小点は、炭素数ｎの直鎖状飽和炭化水素に帰属されるピークと炭素数ｎ−１の直鎖状炭化水素に帰属されるピークとの間の領域に存在する複数の極小点のうち、当該領域において最小値を与える極小点及び２番目に小さい値を与える極小点を含む２以上の極小点であることが好ましい。
【０００８】
さらに、炭化水素組成物に含まれる環状飽和炭化水素を定量する際の簡便性と精度とを高水準で両立できることから、第２のステップにおいて選定する極小点は、炭素数ｎの直鎖状飽和炭化水素に帰属されるピークと炭素数ｎ−１の直鎖状炭化水素に帰属されるピークとの間の領域に存在する複数の極小点のうち、当該領域において最小値を与える極小点及び２番目に小さい値を与える極小点であることが好ましい。
【０００９】
また、本発明の炭化水素組成物の組成分析方法は、第１のステップで得られるクロマトグラムにおいて、直鎖状飽和炭化水素の炭素数ごとに、直鎖状飽和炭化水素に帰属されるピークの両側の最も近い位置に存在する２つの極小点を選定し、下記式（２）に基づいて、飽和炭化水素組成物に占める直鎖状飽和炭化水素の含有割合を算出する第３のステップを更に備えることが好ましい。
ＣＬ＝ＳＬ／ＳＡ×１００  （２）
［式中、ＣＬは飽和炭化水素組成物に占める直鎖状飽和炭化水素の含有割合（単位：質量％）を示し、ＳＡはガスクロマトグラムにおける全ピーク面積を示し、ＳＬは、第３のステップにおいて選定した２つの極小点を結んだ線分と炭素数ｎの直鎖状飽和炭化水素に帰属されるピーク曲線とによって形成される閉じた領域の面積を、直鎖状飽和炭化水素の全炭素数について合計した値を示す。］
【００１０】
さらに、本発明の炭化水素組成物の組成分析方法は、下記式（３）に基づいて、前記炭化水素飽和生成物に占める分岐鎖状飽和炭化水素の含有割合を算出する第４のステップを更に備えることが好ましい。
ＣＢ＝１００−（ＣＮ＋ＣＬ）    （３）
［式中、ＣＢは飽和炭化水素組成物に占める分岐鎖状飽和炭化水素の含有割合（単位：質量％）を示し、ＣＮは飽和炭化水素組成物に占める環状飽和炭化水素の含有割合（単位：質量％）を示し、ＣＬは飽和炭化水素組成物に占める直鎖状飽和炭化水素の含有割合（単位：質量％）を示す。］
【００１１】
なお、従来の組成分析方法においては、シリカゲルクロマトグラフィー等により炭化水素組成物から分取した飽和分について、ガスクロマトグラフィー分析を行うことにより直鎖状飽和炭化水素を、質量分析を行うことにより環状飽和炭化水素を、それぞれ定量し、それらの結果から分岐鎖状飽和炭化水素の含有割合を算出するなど、操作が煩雑であり、また、分析に長時間を要するものであった。これに対して本発明では、第１〜第４のステップを経ることによって、ガスクロマトグラフィー分析のみを用いて、直鎖状飽和炭化水素、分岐鎖状飽和炭化水素及び環状飽和炭化水素の全ての含有割合を精度よく算出することができるため、操作の簡便性及び分析時間の短縮の点でも非常に有用である。
【発明の効果】
【００１２】
以上の通り、本発明によれば、炭化水素組成物に含まれる環状飽和炭化水素を簡便にかつ精度よく定量することが可能な、新規な炭化水素組成物の組成分析方法が提供される。
【図面の簡単な説明】
【００１３】
【図１】鉱油系軽油基材から分取した飽和分について、上記の分析条件でガスクロマトグラフィー分析を行った場合に得られるガスクロマトグラムの一例を示す図である。
【図２】図１に示すガスクロマトグラムにおいて、炭素数ｎの直鎖状飽和炭化水素に帰属されるピークと炭素数ｎ−１の直鎖状炭化水素に帰属されるピークとの間の領域に存在する複数の極小点から、当該領域において最小値を与える極小点及び２番目に小さい値を与える極小点を選定し、選定した極小点の全てを結んだときの状態を示す図である。
【図３】図２に示したガスクロマトグラムの炭素数１４〜１９の直鎖状飽和炭化水素に帰属されるピークを含む領域を部分的に拡大した図である。
【図４】実施例１及び比較例１における組成分析の結果を示すグラフである。
【発明を実施するための形態】
【００１４】
以下、本発明の好適な実施形態について詳細に説明する。
【００１５】
本実施形態に係る炭化水素組成物の組成分析方法においては、まず、少なくとも直鎖状飽和炭化水素及び環状飽和炭化水素を含有する飽和炭化水素組成物についてガスクロマトグラフィー分析を行い、ガスクロマトグラムを得る（第１のステップ）。
【００１６】
試料である飽和炭化水素組成物は、少なくとも直鎖状飽和炭化水素及び環状飽和炭化水素を含有するものであれば特に制限されない。例えば、ガソリン、灯油、軽油等の燃料油、潤滑油などの石油製品に用いられる鉱油系基材から分取した飽和分を試料とすることができる。鉱油系基材から飽和分を分取する手段としては、シリカゲルクロマトグラフィー、高速液体クロマトグラフィー（ＨＰＬＣ）などが挙げられる。試料として用いられる飽和炭化水素組成物の炭素数範囲は、好ましくは７〜３２、より好ましくは８〜３１、さらに好ましくは９〜３０である。
【００１７】
ガスクロマトグラフィー分析における分析条件は、測定試料の種類、炭素数分布等に応じて適宜選定される。試料が鉱油系軽油基材から分取した飽和分である場合の分析条件の一例を以下に示す。
装置：島津製作所社製、ＧＣ２０１０（ＦＩＤ（Ｆｌａｍｅ  Ｉｏｎｉｚａｔｉｏｎ  Ｄｅｔｅｃｔｏｒ）付きガスクロマトグラフ）
カラム：ウルトラアロイ−ＨＴ（３０ｍ×０．２５ｍｍφ×０．１５μｍ）、又は無極性カラムＨＰ−１，ＣＢＰ−１など
キャリアガス：ヘリウム
キャリアガス圧：１２０ｋＰａ
注入口温度：３００℃
検出器温度：３００℃
オーブン温度：５０℃（５分）〜３００℃（５分）
注入量：２μＬ（ＨＰＬＣで分取した飽和分の純度９９容量％以上のヘキサン溶液）
スプリット比：１／１０。
【００１８】
なお、ガスクロマトグラフィー分析は、ＦＩＤ点火後、ベースラインが安定したことを確認して行うことが好ましいのは言うまでもない。
【００１９】
ガスクロマトグラムは、横軸を保持時間（リテンション  タイム）、縦軸をピーク強度とするグラフ（ＧＣチャート）として得ることができる。鉱油系軽油基材から分取した飽和分について、上記の分析条件でガスクロマトグラフィー分析を行った場合に得られるガスクロマトグラムの一例を図１に示す。図１中のピーク曲線（ピークを与える曲線）とベースラインとによって形成される閉じた領域の面積が、後述する式（１）及び（２）中の全ピーク面積ＳＡに相当する。
【００２０】
次に、得られたガスクロマトグラムにおいて、直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から１又は２以上の極小点を選定し、下記式（１）に基づいて、飽和炭化水素組成物に占める環状飽和炭化水素の含有割合を算出する（第２のステップ）。
ＣＮ＝ＳＮ／ＳＡ×１００  （１）
［式中、ＣＮは飽和炭化水素組成物に占める環状飽和炭化水素の含有割合（単位：質量％）を示し、ＳＡはガスクロマトグラムにおける全ピーク面積を示し、ＳＮは第２のステップにおいて選定した極小点の全てを結んだ線分とガスクロマトグラムのベースラインとによって形成される閉じた領域の面積を示す。］
【００２１】
ここで、炭化水素組成物に含まれる環状飽和炭化水素を一層精度よく定量できることから、上記の第２のステップにおいて選定する極小点は、炭素数ｎの直鎖状飽和炭化水素に帰属されるピークと炭素数ｎ−１の直鎖状炭化水素に帰属されるピークとの間の領域に存在する複数の極小点のうち、当該領域において最小値を与える極小点及び２番目に小さい値を与える極小点を含む２以上の極小点であることが好ましい。
【００２２】
さらに、炭化水素組成物に含まれる環状飽和炭化水素を定量する際の簡便性と精度とを高水準で両立できることから、第２のステップにおいて選定する極小点は、炭素数ｎの直鎖状飽和炭化水素に帰属されるピークと炭素数ｎ−１の直鎖状炭化水素に帰属されるピークとの間の領域に存在する複数の極小点のうち、当該領域において最小値を与える極小点及び２番目に小さい値を与える極小点であることが好ましい。
【００２３】
図２は、第２のステップを経た後のガスクロマトグラムの一例を示す図である。図２は、図１に示したガスクロマトグラムにおいて、直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から、当該領域において最小値を与える極小点及び２番目に小さい値を与える極小点を選定し、選定した極小点の全てを結んだときの状態を示している。図２中の網掛け部分が、選定した極小点を結んだ線分とガスクロマトグラムのベースラインとによって形成される閉じた領域であり、この面積が式（１）中のＳＮに相当する。
【００２４】
また、図３は、図２に示したガスクロマトグラムの炭素数１４〜１９の直鎖状飽和炭化水素に帰属されるピークを含む領域を部分的に拡大した図である。図３には、直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から選定した２つの極小点、及び、選定した極小点を結んだ線分を示している。
【００２５】
また、本実施形態に係る炭化水素組成物の組成分析方法は、第１のステップで得られるクロマトグラムにおいて、直鎖状飽和炭化水素の炭素数ごとに、直鎖状飽和炭化水素に帰属されるピークの両側の最も近い位置に存在する２つの極小点を選定し、下記式（２）に基づいて、飽和炭化水素組成物に占める直鎖状飽和炭化水素の含有割合を算出する第３のステップ、あるいはさらに、下記式（３）に基づいて、炭化水素飽和生成物に占める分岐鎖状飽和炭化水素の含有割合を算出する第４のステップを更に備えることが好ましい。第１〜第４のステップを経ることによって、ガスクロマトグラフィー分析のみを用いて、直鎖状飽和炭化水素、分岐鎖状飽和炭化水素及び環状飽和炭化水素の全ての含有割合を精度よく算出することができるため、操作の簡便性及び分析時間の短縮の点でも非常に有用である。
ＣＬ＝ＳＬ／ＳＡ×１００  （２）
［式中、ＣＬは飽和炭化水素組成物に占める直鎖状飽和炭化水素の含有割合（単位：質量％）を示し、ＳＡはガスクロマトグラムにおける全ピーク面積を示し、ＳＬは、第３のステップにおいて選定した２つの極小点を結んだ線分と炭素数ｎの直鎖状飽和炭化水素に帰属されるピーク曲線とによって形成される閉じた領域の面積を、直鎖状飽和炭化水素の全炭素数について合計した値を示す。］
ＣＢ＝１００−（ＣＮ＋ＣＬ）    （３）
［式中、ＣＢは飽和炭化水素組成物に占める分岐鎖状飽和炭化水素の含有割合（単位：質量％）を示し、ＣＮは飽和炭化水素組成物に占める環状飽和炭化水素の含有割合（単位：質量％）を示し、ＣＬは飽和炭化水素組成物に占める直鎖状飽和炭化水素の含有割合（単位：質量％）を示す。］
【００２６】
なお、本発明は上記の実施形態に何ら制限されるものではない。例えば、予め環状飽和炭化水素の含有割合が既知である複数の飽和炭化水素組成物について第１及び第２のステップを行うことによってＣＮとＳＮとの相関（検量線）を得ておき、その相関に基づいて実測値ＳＮからＣＮを算出してもよい。同様に、予め直鎖状飽和炭化水素の含有割合が既知である複数の飽和炭化水素組成物について第３のステップを行うことによってＣＬとＳＬとの相関（検量線）を得ておき、その相関に基づいて実測値ＳＬからＣＬを算出してもよい。さらに、飽和炭化水素組成物に含まれる環状飽和炭化水素及び直鎖状飽和炭化水素の密度に関するデータを取得し、ＣＮ及びＣＬ、あるいは更にＣＢを容量百分率から質量百分率に換算することもできる。
【実施例】
【００２７】
以下、実施例及び比較例に基づき本発明を更に具体的に説明するが、本発明は以下の実施例に何ら限定されるものではない。
【００２８】
［実施例１］
ＨＰＬＣにより組成の異なる燃料油Ａ、Ｂ、Ｃから分取した３種類の飽和分（試料Ａ、Ｂ、Ｃ）を試料とし、以下の手順に従って、飽和分の組成分析を行った。
まず、各試料について、ガスクロマトグラフィー分析を行い、ガスクロマトグラムを得た。ガスクロマトグラフィー分析における分析条件を以下に示す。
装置：島津製作所社製、ＧＣ２０１０（ＦＩＤ（Ｆｌａｍｅ  Ｉｏｎｉｚａｔｉｏｎ  Ｄｅｔｅｃｔｏｒ）付きガスクロマトグラフ）
カラム：ウルトラアロイ−ＨＴ（３０ｍ×０．２５ｍｍφ×０．１５μｍ）キャリアガス：ヘリウム
キャリアガス圧：１２０ｋＰａ
注入口温度：３００℃
検出器温度：３００℃
オーブン温度：５０℃（５分）〜３００℃（５分）
注入量：２μＬ（ＨＰＬＣで分取した飽和分の純度９９容量％以上のヘキサン溶液）
スプリット比：１／１０。
【００２９】
次に、得られたガスクロマトグラムにおいて、直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から、当該領域において最小値を与える極小点及び２番目に小さい値を与える極小点を選定し、上記式（１）に基づいて、飽和炭化水素組成物に占める環状飽和炭化水素の含有割合を算出した。
【００３０】
さらに、得られたクロマトグラムにおいて、直鎖状飽和炭化水素の炭素数ごとに、直鎖状飽和炭化水素に帰属されるピークの両側の最も近い位置に存在する２つの極小点を選定し、上記式（２）に基づいて、飽和炭化水素組成物に占める直鎖状飽和炭化水素の含有割合を算出した。また、上記式（３）に基づいて、炭化水素飽和生成物に占める分岐鎖状飽和炭化水素の含有割合を算出した。なお、分析に要した時間（ガスクロマトグラフィー測定時間と同定時間の合計）は３時間であった。
【００３１】
［比較例１］
実施例１で用いた試料Ａ、Ｂ、Ｃについて、ガスクロマトグラフィー分析を行うことにより直鎖状飽和炭化水素を、質量分析を行うことにより環状飽和炭化水素を、それぞれ定量し、それらの結果から分岐鎖状飽和炭化水素の含有割合を算出した。ガスクロマトグラフィー分析は、注入量を０．３μＬ、スプリット比を１／７０に変更したこと以外は実施例１と同様である。一方、質量分析の分析条件は以下の通りである。
イオン化法：ＦＩ（Ｆｉｅｌｄ  Ｉｏｎｉｚａｔｉｏｎ）
質量分離法：二重収束磁場型
真空度：１０−６Ｔｏｒｒ
分解能：５００以上
イオン検出：正
走査質量範囲：４０〜４００ｍ／ｚ
加速電圧：３．０ｋＶ
エミッタ電流：５ｍＡ
試料導入方法：ＤＩ（Ｄｉｒｅｃｔ  Ｐｒｏｂｅ）
ＤＩ昇温条件：
初期温度：常温（保持時間０分）
昇温速度：３２℃／分
最終温度：４００℃（保持時間２０分）
注入量：１．０μＬ（シリカゲルクロマトグラフィーで分取した飽和分）
【００３２】
実施例１及び比較例１で得られた組成分析の結果を図４に示す。
【００３３】
図４に示したように、実施例１においては、ガスクロマトグラフィー分析のみを用いて、直鎖状飽和炭化水素、分岐鎖状飽和炭化水素及び環状飽和炭化水素の全ての含有割合を精度よく算出することができることが確認された。また、実施例１は分析時間を３時間と比較例１の従来法より大幅に短縮でき、本発明の組成分析方法により直鎖状飽和炭化水素、分岐鎖状飽和炭化水素及び環状飽和炭化水素の全てを迅速に分析できることが分かる。
【００３４】
［実施例２］
まず、実施例１と同様にして、試料Ａについてガスクロマトフィー分析を実施した。次いで、得られたガスクロマトグラムにおいて、直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から、当該領域において最小値を与える極小点のみを選定し、上記式（１）に基づいて、飽和炭化水素組成物に占める環状飽和炭化水素の含有割合を算出した。なお、分析時間は３時間であった。
【００３５】
［実施例３］
まず、実施例１と同様にして、試料Ａについてガスクロマトフィー分析を実施した。次いで、得られたガスクロマトグラムにおいて、直鎖状飽和炭化水素の炭素数ごとに、炭素数ｎの直鎖状飽和炭化水素に帰属されるピークと炭素数ｎ−１の直鎖状炭化水素に帰属されるピークとの間の領域に存在する複数の極小点から、当該領域において最小値を与える極小点、２番目に小さい値を与える極小点並びに３番目に小さい値を与える極小点を選定し、上記式（１）に基づいて、飽和炭化水素組成物に占める環状飽和炭化水素の含有割合を算出した。なお、分析時間は３時間であった。
【００３６】
試料Ａについて、実施例１〜３及び比較例１で得られた組成分析の結果を表１に示す。なお、表１に示す分析時間は、測定時間と同定時間の合計である。
【００３７】
【表１】
0005555529.tif 000002
【００３８】
表１に示したように、実施例２、３においても、直鎖状飽和炭化水素、分岐鎖状飽和炭化水素及び環状飽和炭化水素の全ての含有割合を精度よく算出することができることが確認された。さらに、直鎖状飽和炭化水素の炭素数ごとに選択した極小点が２点である実施例１及び３点である実施例３では、より高い精度で定量を行うことができた。
【産業上の利用分野】
【００３９】
本発明の炭化水素組成物の組成分析方法は、例えばガソリン、灯油、軽油等の燃料油、潤滑油などの石油製品分野において、炭化水素組成物に含まれる環状飽和炭化水素、あるいは更に直鎖状飽和炭化水素、分岐鎖状飽和炭化水素を定量する方法として有用である。
【図１】
0005555529.tif 000003
【図２】
0005555529.tif 000004
【図４】
0005555529.tif 000005
【図３】
0005555529.tif 000006